(57)【要約】  【課題】  簡単な構成で、ミスコンバーゼンスの補正量を大きくできる陰極線管装置を提供する。  【解決手段】陰極線管装置は、電子銃から射出された電子ビームを水平及び垂直方向に偏向するための偏向ヨークを備えている。偏向ヨークは、電子ビームを垂直方向に偏向する垂直偏向コイルを備え、この垂直偏向コイルは、ラッパ状のフェライトコア３４にトロイダル状に巻装されており、このフェライトコア３４の電子銃側の端面に、長手方向の中間部分が折り返されていた「コ」の字状の磁性体４０が、その端部が陰極線管の管軸側に配される共に当該管軸に沿って離間する状態で水平軸Ｘ上に配設されている。  【選択図】  図２
2005071859.tif 000002
【特許請求の範囲】
【請求項１】
電子銃から射出された電子ビームを偏向する偏向ヨークを備えた陰極線管装置であって、
長手方向の中間部分で折り返されている磁性体が、その端部が陰極線管の管軸側に配される共に当該管軸に沿って離間する状態で前記偏向ヨークの電子銃側の端部周辺に設けてあることを特徴とする陰極線管装置。
【請求項２】
前記磁性体は、「コ」の字形状に折り返されており、互いに対向する辺のうち、少なくとも偏向ヨーク側の辺が前記偏向ヨークの端面と略並行となる状態に配されていることを特徴とする請求項１に記載の陰極線管装置。
【請求項３】
前記磁性体は、互いに対向する辺のうち、電子銃側の辺が前記管軸に略直交する状態に配されていることを特徴とする請求項１又は２に記載の陰極線管装置。
【請求項４】
前記偏向ヨークが備える垂直偏向コイルが発生する偏向磁界の分布はバレル状であり、前記磁性体が、対向する辺における長手方向と平行な中心軸が、陰極線管の水平軸と略一致する状態で配されていることを特徴とする請求項１〜３のいずれか１項に記載の陰極線管装置。
【請求項５】
前記磁性体は、前記管軸に対して前記垂直偏向コイルが左右方向にずれている側と前記管軸を挟んで反対側にのみ設けてあることを特徴とする請求項４に記載の陰極線管装置。
【請求項６】
前記垂直偏向コイルは、ラッパ状のコアにトロイダル状に巻装されてなり、前記磁性体は、前記コアの小径側の端面に取着されていることを特徴とする請求項４又は５に記載の陰極線管装置。
【発明の詳細な説明】
【技術分野】
【０００１】
本発明は、テレビ受像機やコンピュータ用ディスプレイ等に用いられる陰極線管装置に関する。
【背景技術】
【０００２】
一般に、カラー陰極線管装置は、インライン型の電子銃から射出された３本の電子ビームを、水平偏向コイル及び垂直偏向コイルを備えた偏向ヨークで水平方向及び垂直方向に偏向させて、フェースパネルの内側の蛍光体スクリーンをラスタースキャンさせるようになっている。
【０００３】
垂直偏向コイルは、電子ビームを垂直方向に偏向させるためのもので、その発生する磁界（垂直偏向磁界）は、例えば、バレル型と呼ばれる分布を持つ。また、水平偏向コイルは、電子ビームを水平方向に偏向させるためのもので、その発生する磁界（水平偏向磁界）は、例えば、ピンクッション型と呼ばれる分布を持つ。各偏向コイルが発生する磁界の分布を上述のようにしているのは、３本の電子ビームを蛍光体スクリーン上で一点に集束させるセルフコンバーゼンスを実現するためである。
【０００４】
一方、垂直偏向コイルは、ラッパ状のフェライトコアにトロイダル状に巻装されており、このフィライトコアが絶縁体である樹脂枠に取り付けられるが、この取り付け時に、フェライトコアが、その中心軸が樹脂枠の中心軸に対して左右方向にずれた状態で取り付けられる場合がある。
【０００５】
ここで、左右方向とは、水平方向であり、画面側から見たときに、陰極線管の管軸を含む垂直面を境界として左右を規定し、また、後述の上下方向とは、垂直方向であり、画面側から見たときに、陰極線管の管軸を含む水平面を境界にして上下を規定する。
【０００６】
このようにフェライトコアの中心軸がずれた状態で、樹脂枠の中心軸と陰極線管の管軸と一致するように偏向ヨークが陰極線管に装着されると、垂直偏向磁界の中心軸と管軸とがずれることになり、垂直偏向磁界の分布が管軸の左右両側で非対称な分布、所謂、磁界の軸ずれが発生する。これにより、３本の電子ビームのランディング位置が上下方向にずれたミスコンバーゼンス（以下、「Ｙｖミスコンバーゼンス」という。）が発生する。
【０００７】
以下、具体例を用いて説明する。
【０００８】
図８は、フィライトコア９１の中心軸Ａが管軸Ｚに対して、画面側から見て右側にずれた状態における垂直偏向コイルの発生する磁界の分布を示す図であり、フェライトコア９１を上方から見た図である。図９は、垂直偏向磁界が図８に示すような分布のときの、画面上に発生するＹｖミスコンバーゼンスを示す図である。
【０００９】
なお、フェライトコア９１には垂直偏向コイルが巻装されているが、フェライトコア９１内に分布する垂直偏向磁界９２を表示するため、図８には垂直偏向コイルを図示していない。また、図８では、垂直偏向磁界９２等の向きを矢印で示している。
【００１０】
一方、電子ビームは、画面側から見て、左側から、青（Ｂ）、緑（Ｇ）、赤（Ｒ）の順でインライン配列された電子銃９４から射出される（図８では、赤は「Ｒ」で、緑は「Ｇ」で、青は「Ｂ」でそれぞれ示している。）。また、垂直偏向磁界９２の分布は、バレル型であるため、磁界の中心軸から離れるに従って磁束密度が高くなる。
【００１１】
従って、磁界の軸ずれを生じた状態では、３本の電子ビームのうち、一番左側に位置する青の電子ビームＢが軸ずれの影響を最も受け、次に緑の電子ビームＧがその影響を受ける。このため、３本の電子ビームのランディング位置が、図９に示すように、上から、青、緑、赤（図９でも、赤は「Ｒ」で、緑は「Ｇ」で、青は「Ｂ」でそれぞれ示している。）と、上下方向にずれる。なお、Ｙｖミスコンバーゼンスが発生すると色ずれ等を生じる。
【００１２】
このようなＹｖミスコンバーゼンスを補正する方法としては、垂直偏向コイルから発生した磁界のうち、偏向ヨークの電子銃側の外側に漏れた漏洩磁界９３（図８参照）を利用したものがある（例えば、特許文献１）。この方法は、偏向ヨークの電子銃側の端面における管軸を挟んだ左右の位置に、略Ｌ字形状をした磁性体をその一辺が管軸と平行になるように取着することで、垂直偏向コイルからの漏洩磁界を集束或いは分散させて、漏れ磁界を局部的に弱めたり、強めたりしている。
【００１３】
しかしながら、この方法でもミスコンバーゼンスを低減できるが、その低減量が小さく、適用できる範囲が限られている。
【特許文献１】特開平５−２４４６１４号公報
【発明の開示】
【発明が解決しようとする課題】
【００１４】
本発明は、上記のような問題点に鑑みてなされたものであって、簡単な構成で、電子ビームを偏向する際に発生する磁界を有効に利用してミスコンバーゼンスの低減量を大きくすることができる陰極線管装置を提供することを目的とする。
【課題を解決するための手段】
【００１５】
上記目的を達成するために、本発明に係る陰極線管装置は、電子銃から射出された電子ビームを偏向する偏向ヨークを備えた陰極線管装置であって、長手方向の中間部分で折り返されている磁性体が、その端部が陰極線管の管軸側に配される共に当該管軸に沿って離間する状態で前記偏向ヨークの電子銃側の端部周辺に設けてあることを特徴としている。
【００１６】
ここで、「長手方向の中間部分で折り返されている磁性体」とは、例えば、「コ」の字形状、「Ｍ」の字形状、「フ」の字形状、半楕円形状等をした磁性体を含む概念である。
【００１７】
この構成によれば、電子ビームを偏向する際に発生する磁界、例えば、偏向ヨークから電子銃側に漏洩する漏洩磁界を磁性体の一方の端部で吸わせることにより、磁性体の一方の端部周辺の漏洩磁界の分布を変え、更に、吸った漏洩磁界を磁性体の他方の端部から管軸に向かって出すことにより、電子ビームにミスコンバーゼンス低減させる方向の磁界を印加できる。
【００１８】
また、前記磁性体は、「コ」の字形状に折り返されており、互いに対向する辺のうち、少なくとも偏向ヨーク側の辺が前記偏向ヨークの端面と略並行となる状態に配されていることを特徴とし、或いは、前記磁性体は、互いに対向する辺のうち、電子銃側の辺が前記管軸に略直交する状態に配されていることを特徴としている。
【００１９】
一方、前記偏向ヨークが備える垂直偏向コイルが発生する偏向磁界の分布はバレル状であり、前記磁性体が、対向する辺における長手方向と平行な中心軸が、陰極線管の水平軸と略一致する状態で配されていることを特徴としている。
【００２０】
ここで、「水平軸」とは、陰極線管の軸心を通る水平方向の軸をいう。
【００２１】
更に、前記磁性体は、前記管軸に対して前記垂直偏向コイルが左右方向にずれている側と前記管軸を挟んで反対側にのみ設けてあることを特徴とし、また、前記垂直偏向コイルは、ラッパ状のコアにトロイダル状に巻装されてなり、前記磁性体は、前記コアの小径側の端面に取着されていることを特徴としている。
【発明の効果】
【００２２】
本発明に係る陰極線管装置は、長手方向の中間部分で折り返されている磁性体を、その端部が陰極線管の管軸側に配される共に当該管軸に沿って離間する状態で偏向ヨークの電子銃側の端部周辺に設けている。
【００２３】
このため、簡単な構成で、電子ビームを偏向する際に発生する磁界を有効に利用してミスコンバーゼンスの低減量を大きくすることができる。
【発明を実施するための最良の形態】
【００２４】
以下、本発明の実施の形態である陰極線管装置について、図面を参照しながら説明する。
【００２５】
１．陰極線管装置の全体構成
図１は、本実施の形態に係るカラー陰極線管装置１０の概略構成を示す半断面図である。カラー陰極線管装置１０は、同図に示すように、カラー陰極線管１２、偏向ヨーク１４、ＣＰＵ（Convergence and Purity Unit）１６等からなる。
【００２６】
カラー陰極線管１２は、フェースパネル２０と、ファンネル２２とが接合されてなるガラスバルブ内にインライン型の電子銃２４や、シャドウマスク２６などが収納されてなる。
【００２７】
フェースパネル２０の内面には、赤、緑、青の各蛍光体が規則正しく配列されてなる蛍光体スクリーン２８が形成されている。シャドウマスク２６は、蛍光体スクリーン２８と並行して設けられている。シャドウマスク２６には電子ビーム３０の通過孔が多数形成されており、電子銃２４から射出される３本の電子ビーム３０がそれぞれの蛍光体に正しく当たるようになっている。
【００２８】
偏向ヨーク１４は、ファンネル２２のネック２３寄りの外周に取着されており、電子銃２４から射出される３本の電子ビーム３０を垂直（上下）・水平（左右）に偏向し、ラスタースキャン方式で蛍光体スクリーン２８上を走査させるものである。この偏向ヨーク１４は、電子ビーム３０を垂直方向に偏向するための垂直偏向コイル３６と、電子ビーム３０を水平方向に偏向するための水平偏向コイル３２とを備える。
【００２９】
これら偏向コイル３２，３６の間には、樹脂枠３８が設けられている。樹脂枠３８は、垂直偏向コイル３６と水平偏向コイル３２との間の電気的絶縁状態を維持すると共に、両偏向コイル３２，３６を保持する役割を果たしている。
【００３０】
水平偏向コイル３２は、樹脂枠３８の内周側に、例えば、コイル素線をサドル状に巻装されてなり、一方、垂直偏向コイル３６は、樹脂枠３８の外周側であって、例えば、コイル素線をフェライトコア３４にトロイダル状に巻装されてなる。
【００３１】
フェライトコア３４の電子銃２４側には、Yｖミスコンバーゼンスを補正・低減するための、「コ」の字状の磁性体４０が取り付けられている。なお、垂直偏向コイル３６、フェライトコア３４、磁性体４０については後述する。
【００３２】
電子銃２４は、ネック部２３の内部に収納されている。この電子銃２４は、３個のヒータ（不図示）により個別に加熱される３個のカソード（不図示）を水平方向にインライン配列されてなる。
【００３３】
また、ＣＰＵ１６は、複数、例えば、４個のマグネットリングからなる公知のものであって、ネック部２３の外周の、電子銃２４に対応する位置に設けられており、これにより、電子ビーム３０の静コンバーゼンス調整やピュリティ調整が行われる。なお、偏向ヨークは、これらの調整時はカラー陰極線管１２に仮止めされた状態であり、調整後に固定される。
【００３４】
２．垂直偏向コイル及び磁性体
図２は、フェライトコア３４とこれに巻回されたトロイダル型の垂直偏向コイル３６の形状を示す外観斜視図である。
【００３５】
フェライトコア３４は、図２に示すように、上下２分割型であって、上部コア３４１と下部コア３４２とを合せた状態で止め具３４４により固定して、略ラッパ状に形成されている。垂直偏向コイル３６は、上下に対向するように、上部コイル３６ａと、下部コイル３６ｂとからなり、上部コイル３６ａは、第１コイル束３６１と第２コイル束３６２とを、また、下部コイル３６ｂは、第３コイル束３６３と第４コイル束３６４とを、それぞれ直列接続してなる。
【００３６】
次に、磁性体４０について説明する。
【００３７】
磁性体４０は、図１及び図２に示すように、フェライトコア３４の電子銃側の端部周辺に位置するように配されている。
【００３８】
図３は、磁性体４０の斜視図である。
【００３９】
磁性体４０は、図３に示すように、両端部が管軸方向に離間するように、長手方向の中間部分が折り返された形状、つまり、互いに略並行に対向して配された一対の対向部４０１，４０２と、対向部４０１，４０２の一方の端部４０１ａ，４０２ａ同士を連結する連結部４０３とを一体に有した形状、例えば、「コ」の字形状をしている。
【００４０】
ここで、対向部４０１，４０２の長手方向（図３ではＹ１方向）を高さ方向、対向部４０１，４０２の短手方向（図３ではＸ１方向）を幅方向、対向部４０１，４０２を連結する方向（図３ではＺ１方向）を厚さ方向とそれぞれする。
【００４１】
この磁性体４０は、例えば、珪素鋼を用いて構成されており、例えば、所定寸法に裁断された板材をプレス加工することにより形成されている。
【００４２】
磁性体４０は、図１及び図２に示すように、対向部４０１，４０２の他方の端部４０１ｂ，４０２ｂ（連結部４０３と反対側の端部）が管軸Ｚに向くと共に管軸Ｚに対し略直交し且つ幅方向の略中央を通る中心線Ｅ（本発明での対向する辺における長手方向と平行な中心軸に対応し、図３において一点鎖線で表示している）が陰極線管１２の水平軸と略一致する状態で、対向部４０２がフェライトコア３４の電子銃２４側の端面に固着されることにより、フェライトコア３４に取着されている。なお、本実施の形態では、磁性体４０の固着は、例えば、接着剤を用いて行われている。この接着剤は、シリコン等の合成樹脂材料でも良く、好ましくは、非腐食系のものが良い。
【００４３】
３．磁性体の取着によるコンバーゼンスの改善について
ａ．試験結果
ここでは磁性体４０の偏向ヨーク１４（フェライトコア３４）への取着によるＹｖミスコンバーゼンスの改善について説明する。
【００４４】
先ず、磁界の軸ずれを生じているカラー陰極線管装置を用いてそのＹｖミスコンバーゼンス量を測定した。
【００４５】
用いたカラー陰極線装置は、２９インチのフラットタイプ用であって、偏向角度が１０４°である。またフェライトコア３４は、軸心方向（陰極線管の管軸方向と同じ）の寸法が略４３ｍｍ、電子銃側の外径５５ｍｍ、フェースパネル側の外径が１１０ｍｍである。
【００４６】
このフェライトコア３４は、この中心軸が、背景技術の欄で説明したように、例えば樹脂枠３８の中心軸に対して画面側から見て右側にずれた状態で、樹脂枠３８に取着されている。この状態は、背景技術の欄で説明した内容と同じであるため、以下、図８及び図９を用いて説明する。
【００４７】
垂直偏向磁界の中心軸は、図８に示すように、管軸Ｚに対して右側にずれており、また、垂直偏向磁界９２の分布はバレル状である。このため、電子ビーム３０に印加される垂直偏向磁界９２（磁束密度）は、本来印加されるべき垂直偏向磁界９２（磁束密度）との差分が、青（Ｂ）、緑（Ｇ）、赤（Ｒ）の順で強くなっている。
【００４８】
従って、電子銃２４から射出された電子ビーム３０を垂直偏向磁界９２により上方に偏向させると、図９に示すように、青、緑、赤の順で偏向量が大きくなり、青の電子ビームＢがフェースパネルの最上位にランディングし、赤の電子ビームＲが最下位にランディングすることになる。このとき、青の電子ビームＢと赤の電子ビームＲの中心間の距離Ｌは、試験では約２．５ｍｍであった。
【００４９】
次に磁性体４０を偏向ヨーク１４に取着した場合について説明する。
【００５０】
先ず、本実験に使用した磁性体４０は、高さＨが１５ｍｍ、幅ｂが５ｍｍ、対向部４０１，４０２の間隔Ｄが略３ｍｍ、厚さＴが０．５ｍｍである（図３参照）。
【００５１】
図４は、フェライトコア３４の中心軸Ａが管軸Ｚに対して画面側から見て右側にずれた状態であって、その端部に磁性体４０が装着されている場合の垂直偏向コイル３６の発生する磁界の分布を示す図であり、フェライトコア３４の平面概略図である。なお、フィライトコア３４には、垂直偏向コイル３６が巻装されているが、図４では、垂直偏向コイル３６の図示を省略している。
【００５２】
フェライトコア３４内に分布している垂直偏向磁界３７ａは、背景技術での説明と同じであるため、図４では、参考のために、破線で示している。なお、垂直偏向磁界３７ａ及び漏洩磁界３７ｂの向きは、図８と同様に、矢印で表している。
【００５３】
磁性体４０は、実験では、画面側から見たときに、水平軸上を左側から挿入して、画面上の電子ビーム３０のコンバーゼンスを見ながらその位置を決定している。なお、磁性体４０は、その対向部４０１がフェライトコア３４側に位置する状態で挿入される。
【００５４】
磁性体４０の挿入は、フェライトコア３４の中心軸Ａが管軸Ｚに対して左右方向のずれた側（実施の形態では右側である。）と反対側から行われる。磁性体４０が取着された最終的な位置は、具体的には、磁性体４０における電子銃２４側の端部４０２の端面と管軸Ｚとの間隔が１８ｍｍ程度のところであり、この位置では画面上のミスコンバーゼンスが解消した。
【００５５】
磁性体４０の上記端面と管軸Ｚとの間隔は、ネック２３部の外周面の寸法が分かっているので、このネック部２３の外周と磁性体４０の端面との距離により算出している。なお、本実験に用いた陰極線管におけるネック部２３の外径は、２９ｍｍである。
【００５６】
ｂ．コンバーゼンス解消の理由について
磁性体を用いることでコンバーゼンスが改善される理由について説明する。
【００５７】
先ず、図４に示すように、フェライトコア３４の電子銃側の端部であって、画面側から見て右側から電子銃側に張り出した漏洩磁界３７ｂは、フェライトコア３４内の垂直偏向磁界３７ａと同様に、左側へと流れる。この左側へと流れる漏洩磁界３７ｂは、フェライトコア３４の端面左側（画面側から見て）に取り付けられた磁性体４０におけるフェライトコア３４側の対向部４０１の端面から吸われると考えられる。
【００５８】
このように漏洩磁界３７ｂが、磁性体４０に吸われることにより、漏洩磁界３７ｂの分布が、磁性体４０の端面の周辺で、分散することになる。この結果、管軸Ｚから磁性体４０の端面にかけての範囲では、漏洩磁界３７ｂの磁束密度が小さくなり、電子ビームの上方への偏向量も少なくなる。これにより、図９で示した、青の電子ビームＢと赤の電子ビームＲとの距離Ｌ、つまりＹｖミスコンバーゼンス量が小さくなる。
【００５９】
次に、磁性体４０に吸われた漏洩磁界は、磁性体４０内を矢印で示すように、磁性体４０の電子銃側の対向部４０２へと流れ、最終的には、磁性体４０の対向部４０２の端面から管軸Ｚに向けて出ると考えられる。この磁性体４０から出た漏洩磁界３７ｃは、電子ビーム３０を下方へと偏向させる。
【００６０】
また、漏洩磁界３７ｃは、管軸Ｚと直交する方向に進むが、磁性体４０から離れるに従って徐々に分散され、その強さは、磁性体４０から離れるに従って弱くなる。このため、３本の電子ビーム３０の下方への偏向量は、磁性体４０に近い位置を飛行する（ここでは青の電子ビーム）ほど大であり、青、緑、赤の順となる。この順は、磁性体４０を取着していない場合における、３本の電子ビームの上方への偏向量の大きさの順と同じである。
【００６１】
従って、この漏洩磁界３７ｃにより、偏向ヨーク内に進入する前の電子ビームを、予め下方へと偏向させるので、画面上で３本の電子ビームを合致させることができると考えられる。
【００６２】
以上のように、簡単な構成の磁性体４０をフェライトコア３４に取着することにより、磁性体４０の対向部４０１側では周辺の漏洩磁界３７ｂを吸う。これにより磁性体４０の周辺部における漏洩磁界３７ｂの磁束密度が小さくなり、電子ビームの上方への偏向量を少なくしている。一方、磁性体４０の対向部４０２では、吸った漏洩磁界３７ｃを、フェライトコア３４から漏れた漏洩磁界３７ａの向きとは逆向きである管軸Ｚに向けて出す。これにより電子ビームが下方へと偏向する。これらが合算することにより、画面上でのＹｖミスコンバーゼンスが改善されると考えられる。
【００６３】
ｃ．漏洩磁界による電子ビームの偏向量の調整について
磁性体における電子銃側の対向部の端面から出される漏洩磁界による電子ビームの偏向量は、磁性体と管軸との距離を変化させることで調整できるほか、例えば、一対の対向部の間隔を変えることにより、あるいは、吸われた漏洩磁界が磁性体内を流れる距離、つまり磁性体の全長を変えることによっても調整できる。
【００６４】
（変形例）
以上、本発明を実施の形態に基づいて説明したが、本発明の技術的範囲は、上記の実施の形態の限定されないことは勿論であり、例えば、以下のような変形例を考えることができる。
【００６５】
（１）磁性体の形状について
上記実施の形態では、磁性体４０の形状は、「コ」の字形状をしているが、他の形状でも良い。
【００６６】
図５及び図６は、磁性体の形状の変形例を示す図である。
【００６７】
実施の形態での磁性体４０は、それぞれの対向部４０１，４０２は、互いに離間する方向（図３におけるＺ１方向）から見たときに略矩形状をしているが、図５の（ａ）の磁性体４１のように、一方の対向部４１１の先端部又は両方の先端部の隅を切り欠いた形状にしても良い。このときの先端部は、幅方向（図３におけるＸ１方向）の平坦部４１１ａを有していても良いし、平坦部がなく鈍角、鋭角に形成された尖形状にしても良い。
【００６８】
また、一対の対向部の高さは同じでなくても良く、例えば、図５（ｂ）の磁性体４２のように、それぞれの対向部４２１，４２２の高さ（Ｈ１、Ｈ２）は異なるようにしても良い。さらに、「コ」の字形状以外に、例えば、図５の（ｃ）の磁性体４３のように、「Ｍ」の字形状の磁性体４３でも良い。つまり、一対の対向部を連結する連結部（折り返し部）の形状は、対向部の両端部が管軸方向に離間するように両者を連結すれば良く、特に形状を限定するものではない。
【００６９】
さらに、対向部は、互いに並行でなくても良く、例えば、電子銃側の対向部をフェライトコア側の対向部に対して傾斜させた形状、例えば、図６の（ａ）の磁性体４４のように、「フ」の字形状にしても良いし、図６の（ｂ）の磁性体４５のように、半楕円形状（半円状含んだ概念）であっても良い。
【００７０】
一方、磁性体におけるフェライトコア側の対向部は、フェライトコアの端面と略並行になるように構成されているが、並行にしなくても良い。但し、フェライトコアの端面に磁性体を取着する場合には、磁性体の対向部とフェライトコア端面とが並行になるようにした方がその取着が容易に行えるのは言うまでもない。
【００７１】
（２）磁性体の取着位置について
上記の実施の形態では、磁性体をフェライトコアの端面に取着しているが、垂直偏向ヨークから電子銃側に漏洩した漏洩磁界を吸える位置であれば、フェライトコアの端面以外、例えば、樹脂枠に取着しても良い。但し、樹脂枠に取着する場合で有っても、磁性体のフェライトコア側の対向部は、フェライトコアに接触させている方が好ましい。これは、接触することで、漏洩磁界の吸収を効率良く行えるからである。
【００７２】
（３）磁性体の寸法について
ａ．対向部の間隔について
本実施の形態では、図３における対向部の間隔Ｄは３ｍｍ（フェライトコアの全長に対して約７％）であったが、この間隔Ｄは、１．５ｍｍ以上であれば良い。これは、１．５ｍｍより小さいと、ミスコンバーゼンスを低減できる量が小さくなり、磁性体を取着した効果が得られないからである。なお、対向部の間隔Ｄが大きくても、ミスコンバーゼンスを低減できるが、電子銃には、その内部に磁界が侵入できない部分があり、この部分に、吸った磁界を出しても電子ビームを偏向することができない。従って、フェライトコアの電子銃側の端面と、電子銃における磁界が内部に侵入できない部分までの距離が、対向部の間隔Ｄの実質的な上限値となる。
【００７３】
ｂ．幅について
実施の形態では、磁性体の幅ｂは、５ｍｍであったが、この幅ｂは３ｍｍ以上、ネック部の外径（実施の形態では、２９ｍｍ）以下が好ましい。
【００７４】
これは、幅ｂが３ｍｍより小だと、図７の（ａ）に示すように、漏洩磁界１９３は、磁性体４０の近くでは磁性体に吸われず、漏洩磁界の分布がさほど変わらないため効果が得られず、幅ｂがネック部の外径より大だと、図７の（ｂ）に示すように、漏洩磁界１９４が磁性体４０の近くで、発散して磁束密度が小になるけれども、偏向ヨークに進入する前の電子ビームは管軸に沿って飛行しているため、発散した漏洩磁界と離れすぎ、磁束密度を小にした効果が得られないからである。
【００７５】
（４）磁性体について
実施の形態では、図４に示すように、磁性体４０はフェライトコアの電子銃側の端面に配され、フェライトコア３４から電子銃側に漏れた漏洩磁界３７ｂを吸うようにしている。つまり、漏洩磁界３７ｂを利用している。
【００７６】
しかしながら、漏洩磁界３７ｂだけでなく、フェライトコア３４内の垂直偏向磁界３７ａの一部を利用しても良い。具体的には、フェライトコアの一部を切り欠き、この切り欠きから磁性体の一方の先端をフェライトコア内に挿入して固着すれば良い。つまり、磁性体は、その端部が管軸に沿って離間する状態で、偏向ヨーク内の電子銃側に設けても良い。
【産業上の利用可能性】
【００７７】
本発明に係る陰極線管装置は、垂直方向のミスコンバーゼンスを補正するのに利用できる。
【図面の簡単な説明】
【００７８】
【図１】本発明に係るカラー陰極線管装置の概略構成を示す半断面図である。
【図２】垂直偏向コイルをトロイダル状に巻回したフェライトコアの外観斜視図である。
【図３】磁性体単体の外観斜視図である。
【図４】フェライトコアの中心軸が管軸に対して画面側から見て右側にずれた状態であって、その端部に磁性体が装着さている場合の垂直偏向コイルの発生する磁界の分布を示す図であり、フェライトコアの平面概略図である。
【図５】磁性体の形状についての変形例を示す図である。
【図６】磁性体の形状についての変形例を示す図である。
【図７】（ａ）（ｂ）は、各磁性体の幅が異なる場合における漏洩磁界の分布の様子を示す図である。
【図８】フェライトコアの中心軸が管軸に対して画面側から見て右側にずれた状態における垂直偏向コイルの発生する磁界の分布を示す図であり、フェライトコアの平面概略図である。
【図９】垂直偏向コイルの発生する磁界が図８に示すような分布のときの、画面上に発生するミスコンバーゼンスを示す図である。
【符号の説明】
【００７９】
１０    カラー陰極線管装置
１２    陰極線管
１４    偏向ヨーク
３２    水平偏向コイル
３４    フェライトコア
３６    垂直偏向コイル
３７ａ    垂直偏向磁界
３７ｂ    漏洩磁界
３８    樹脂枠
４０    磁性体
４０１，４０２    対向部
４０３    連結部
Ｘ    陰極線管の水平軸
Ｙ    陰極線管の垂直軸
Ｚ    陰極線管の管軸
【図１】
2005071859.tif 000003
【図２】
2005071859.tif 000004
【図３】
2005071859.tif 000005
【図４】
2005071859.tif 000006
【図５】
2005071859.tif 000007
【図６】
2005071859.tif 000008
【図７】
2005071859.tif 000009
【図８】
2005071859.tif 000010
【図９】
2005071859.tif 000011